(57)【特許請求の範囲】
【請求項１】
本体下部に吸い込み口を、本体上部に吹き出し口を備えるとともに、イオン風を誘起して吸い込み口から吹き出し口へと向かう風の流れを形成するとともに粉塵を帯電させるイオン風誘起手段と、このイオン風誘起手段の下流側に配された電気的集塵手段とを本体に備え、上記電気的集塵手段は、平板状の集塵電極と、この集塵電極の表面に交換自在に配されて上記帯電した粉塵を捕集する集塵紙とを備え、上記本体は横方向の厚みが薄くて上下方向の長さが長い略長方体として形成されるとともにこれの表裏面に空気吸排部が設けられていることを特徴とする空気清浄器。
【請求項２】
本体は表裏面が開口しているとともに、該開口が下端縁を軸として回動自在なカバーで閉じられていることを特徴とする請求項１記載の空気清浄器。
【請求項３】
集塵電極はその上部に集塵紙を挿通する隙間を備えており、集塵紙は上記隙間に通されて集塵電極の表裏両面に配されていることを特徴とする請求項１記載の空気清浄器。
【請求項４】
集塵部は、集塵電極の下部に位置して集塵紙の下端を集塵電極に固定するための水平軸回りに回動自在で且つ集塵電極に吸着する永久磁石を有する押さえ部を一対備えていることを特徴とする請求項３記載の空気清浄器。
【請求項５】
押さえ部はその上下位置が可変となっていることを特徴とする請求項４記載の空気清浄器。
【請求項６】
集塵部は、集塵電極の側部に位置して集塵紙の側端を集塵電極に固定するための鉛直軸回りに回動自在で且つ集塵電極に吸着する永久磁石を有する押さえ部を二対備えていることを特徴とする請求項３記載の空気清浄器。
【請求項７】
集塵部は、集塵紙の一方の下端を引っ掛け固定するための爪と、集塵紙の他方の下端を集塵電極に固定するための水平軸回りに回動自在で且つ集塵電極に吸着する永久磁石を有する押さえ部を備えていることを特徴とする請求項３記載の空気清浄器。
【請求項８】
集塵部は、集塵電極の表裏両面に位置して集塵紙を集塵電極に固定する上下動自在な一対のローラーからなる押さえ部を備えていることを特徴とする請求項３記載の空気清浄器。
【請求項９】
本体は集塵部を覆うとともに上方から着脱自在となっているカバーを備えており、該カバー内には集塵紙を集塵電極に固定する押さえばね型の押さえ部を備えていることを特徴とする請求項３記載の空気清浄器。
【発明の詳細な説明】
【０００１】
【産業上の利用分野】
本発明は室内の空気の清浄化を行う空気清浄器に関するものである。
【０００２】
【従来の技術】
空気清浄器では、室内の空気を吸い込んで清浄化し、これを吹き出すために、送風部が必要であるが、この送風部としては、ファンを回転させるタイプのものと、イオン風を誘起するタイプのものとがある。
前者は送風量を多くとることができるものの、どうしても騒音が大きいために、音が問題となりやすいところ、たとえば寝室に設置する空気清浄器としては、後者のタイプのものが好ましい。
【０００３】
【発明が解決しようとする課題】
しかし、イオン風を誘起するものでは、風の流れが弱く、これに伴って清浄化効率が悪いという問題を有している。
また、送風部の形態にかかわらずに空気清浄器全体に言えることであるが、集塵部は汚れたら洗浄もしくは交換を行わなくてはならず、このメンテナンスが面倒で煩わしいという問題を有している。
【０００４】
本発明はこのような点に鑑み為されたものであり、その目的とするところはイオン風を誘起して送風を行うものであるにもかかわらず、清浄化効率を高く保つことができる空気清浄器を提供するにあり、また集塵部のメンテナンスが容易である空気清浄器を提供するにある。
【０００５】
【課題を解決するための手段】
しかして、本発明は、本体下部に吸い込み口を、本体上部に吹き出し口を備えるとともに、イオン風を誘起して吸い込み口から吹き出し口へと向かう風の流れを形成するとともに粉塵を帯電させるイオン風誘起手段と、このイオン風誘起手段の下流側に配された電気的集塵手段とを本体に備え、上記電気的集塵手段は、平板状の集塵電極と、この集塵電極の表面に交換自在に配されて上記帯電した粉塵を捕集する集塵紙とを備え、上記本体は横方向の厚みが薄くて上下方向の長さが長い略長方体として形成されるとともにこれの表裏面に空気吸排部が設けられていることに特徴を有している。
【０００８】
また、電気的集塵手段を平板状の集塵電極とこの集塵電極の表裏両面に配した集塵紙とで構成する場合、本体を表裏面が開口しているとともに、該開口が下端縁を軸として回動自在なカバーで閉じられたものとすることが好ましく、また集塵電極がその上部に集塵紙を挿通する隙間を備え、集塵紙は上記隙間に通されて集塵電極の表裏両面に配されるものとすることが好ましい。
【０００９】
更に、集塵部は、集塵電極の下部に位置して集塵紙の下端を集塵電極に固定するための水平軸回りに回動自在で且つ集塵電極に吸着する永久磁石を有する一対の押さえ部や、この押さえ部の上下位置を可変としたもの、集塵電極の側部に位置して集塵紙の側端を集塵電極に固定するための鉛直軸回りに回動自在で且つ集塵電極に吸着する永久磁石を有する二対の押さえ部を備えたものであってもよく、集塵紙の一方の下端を引っ掛け固定するための爪と、集塵紙の他方の下端を集塵電極に固定するための水平軸回りに回動自在で且つ集塵電極に吸着する永久磁石を有する押さえ部とを備えたものであってもよい。
【００１０】
押さえ部としては、集塵電極の表裏両面に位置して集塵紙を集塵電極に固定する上下動自在な一対のローラーからなるものであってもよく、本体が集塵部を覆うとともに上方から着脱自在となっているカバーを備えたものにおいては、該カバー内に集塵紙を集塵電極に固定する押さえばね型の押さえ部を設けることも好ましい。
【００１１】
【作用】
本発明によれば、イオン風誘起手段で送風を行うために、無音運転が可能なものであり、しかも本体下部に吸い込み口を、本体上部に吹き出し口を備えていることから、床面近くを漂うハウスダストを効率良く取り除いて清浄化することができる。また、イオン風誘起手段で帯電させた粉塵は、電気的集塵手段の集塵電極の表面に交換自在に配した集塵紙で捕集するために、メンテナンスが容易である。
【００１３】
また、本体は横方向の厚みが薄くて上下方向の長さが長い略長方体として形成されるとともにこれの表裏面に空気吸排部が設けられているために、薄型であるにもかかわらず、除塵性能が高いものを得ることができる。特に空気吸排部の存在は、風量の増大を可能とする。
【００１４】
そして、本体を表裏面が開口しているとともに、該開口が下端縁を軸として回動自在なカバーで閉じられたものとすれば、また集塵電極がその上部に集塵紙を挿通する隙間を備え、集塵紙は上記隙間に通されて集塵電極の表裏両面に配されるものとすれば、集塵部のメンテナンス、つまりは集塵紙の交換を簡便に行うことができる上に、取り外す集塵紙からこぼれた粉塵はカバー上で集めることができる。
【００１５】
さらに、集塵部が、集塵電極の下部に位置して集塵紙の下端を集塵電極に固定するための水平軸回りに回動自在で且つ集塵電極に吸着する永久磁石を有する一対の押さえ部を備えていると、集塵紙の端部の固定を風によってめくりたりすることがない状態に確実に且つ簡便に行うことができる。
そして上記押さえ部の上下位置を可変としたり、押さえ部が集塵電極の側部に位置して鉛直軸回りに回動自在で集塵紙の側端を集塵電極に固定するものにおいては、集塵紙のサイズの違いを吸収することができる。
【００１６】
集塵紙の一方の下端を引っ掛け固定するための爪と、集塵紙の他方の下端を集塵電極に固定するための水平軸回りに回動自在で且つ集塵電極に吸着する永久磁石を有する押さえ部とを備えたものでは、集塵紙の固定部材に要するコストが低くなる。
押さえ部としては、集塵電極の表裏両面に位置して集塵紙を集塵電極に固定する上下動自在な一対のローラーからなるものであってもよく、本体が集塵部を覆うとともに上方から着脱自在となっているカバーを備えたものにおいては、該カバー内に集塵紙を集塵電極に固定する押さえばね型の押さえ部を設けることも好ましい。集塵紙の固定をいずれの場合も簡便に且つ確実に行うことができる。
【００１７】
【実施例】
以下本発明を図示の実施例に基づいて詳述すると、図２及び図３において、この空気清浄器１は、矩形状であり且つ前後面と上下面とが開口している本体１０と、本体１０の前後面に装着されたカバー１１，１２と、本体１０の下面より突出する脚１３，１３と、本体１０上面の吹き出し口１０ａである開口部に配された吐出ルーバー１４とで外殻が構成されており、本体１０内には図４及び図５に示すように、その下方からプレフィルター２、放電部３、対極部４、集塵部５、イオン化部６、接地部７が配され、本体１０の側面にはスライドスイッチ型の電源スイッチＳＷと、カバー１１，１２用の着脱釦１５，１５とが配されており、本体１０上面の一側には電源ランプＬａが配設され、更に本体１０内の一側には制御回路１６と高圧発生電源１７とが収容されている。
【００１８】
本体１０下面の吸い込み口１０ｂの直上に配されたプレフィルター２は、綿ぼこりのような大きなごみの捕集のためのもので、図６に示すように、上下に開口する枠２０と、この枠２０によって保持されている合成樹脂製フィルターネット２１とからなり、本体１０の前後面から着脱自在とされている。図中２１はこの着脱の際のための把手である。
【００１９】
プレフィルター２の上方に配された放電部３は、図７に示すように、上下に開口する矩形状の枠３０と、この枠３０によって支持されてたとえば＋６ｋＶの電圧が印加される放電線３１と、この放電線３１に張力を加えるコイルばね３２とからなるもので、枠３０の端面には放電線３１に電気的に接続された接続端子部３３を備えている。図中３４は絶縁保護用の保護チューブである。上記放電線３１は、線径の細いタングステン線あるいはピアノ線等で形成されている。
【００２０】
放電部３の上方に配される対極部４は、図８に示すように、平行並列に配された薄鋼板よりなる複数枚の対極板４１と、対極板４１の両端に配されてこれら対極板４１を保持する枠４０とからなるもので、枠４０には対極板４１に電気的に接続された接続端子部４２を備えており、本体１０に装着して電源が入れられた時、上記対極板４１にはたとえば−６ｋＶの電圧が印加される。
【００２１】
集塵部５は図１０に示すように、薄鋼板からなるとともに本体１０内の前後方向の中央部に位置する集塵電極５０と、集塵電極５０の前後両面に配される集塵紙５１と、集塵紙５１を集塵電極５０に固定するために集塵電極５０の下端部に上下に回動自在に配された押さえ部５３とからなるもので、押さえ部５３は集塵電極５０に磁気吸着する永久磁石５９を備えている。ここにおける集塵紙５１は、図１１に示すように、集塵電極５０の上部に設けた隙間５２に通した後、両端を下方に折り曲げ、その後、押さえ部５３を回動させて集塵紙５１両端を押さえて止めることで、集塵電極５０に装着される。集塵電極５０は、電源が投入された時、たとえば−６ｋＶの電圧が印加される。なお、上記集塵紙５１には、一般家庭で使用されているキッチンペーパータオルを用いる。
【００２２】
イオン化部６は上記集塵電極５０の上端部に装着されたもので、上方を向いた針状突起６１を備えており、集塵電極５０の上端に配された接地部７と針状突起６１とが所定の間隔で対向している。そしてイオン化部６は、電源が投入された時、たとえば−６ｋＶの電圧が印加される。
しかして、この空気清浄器１においては、電源スイッチＳＷを投入すれば、放電部３，対極部４、集塵部５並びにイオン化部６に上記のような電圧が印加されるものであり、この結果、図１に示すように、放電部３においては放電線３１近傍の空気が電離されてプラスイオンが発生し、このプラスイオンはマイナス電位となっている対極部４に向かって移動する。この時、空気の中性分子との衝突で空気を動かすために、イオン風と呼ばれる上方に向けた風が発生するとともに、空気中の粉塵はプラスに帯電される。
【００２３】
このようにして生ずるイオン風による起風で、本体１０下面の吸い込み口１０ｂから上面の吹き出し口１０ａへと向かう風の流れが生じるものであり、プラスに帯電している粉塵はマイナス電位となっている集塵部５の集塵電極５０に引き寄せられ、集塵電極５０を覆っている集塵紙５１に付着する。この結果、吸い込み口１０ｂから本体１０内に流入した空気の清浄化がなされ、吹き出し口１０ａより室内に吐出される。共に板状である対極板５１及び集塵電極５１は風の流れと平行に配されているために、風の流れを妨げることはなく、集塵紙５１は集塵電極５０の前後両面に配されているために、その粉塵の捕集量はきわめて多い。また、イオン化部６と接地部７との間では、森林中に多く存在するとともに身体に良いと言われているマイナスイオンが発生し、上記風に乗って吹き出し口１０ａより室内に広がる。本体１０の前後面を覆うカバー１１，１２には、小さい孔１９が多数形成されているが、これらの孔１９は、空気清浄運転の際に、汚染空気及び処理空気の吸排部として機能する。
【００２４】
ここにおいて、一般家庭における室内のハウスダストは、主に床面近傍を漂っていることから、空気清浄器１の吸い込み口１０ｂを本体１０の下面に設けて床面近傍の空気を吸い込むようにするのが、ハウスダストの吸入効率の向上に最も効果的となっている。
集塵紙５１の交換が必要となった場合には、本体１０側面の着脱釦１５を押すことで、前後のカバー１１，１２を図９に示すように開いて、本体１０の前後面を露出させ、集塵部５の押さえ部５３による集塵紙５１の押さえを外した後、集塵紙５１を抜き取り、新たな集塵紙（キッチンペーパータオル）５１を装着して、カバー１１，１２を閉じることで行う。本体１０の前後面を大きく開口させてここから集塵紙５１の交換を行えるようにしているために、また、集塵電極５０に被せて押さえ部５３で押さえるだけで良いために、そのメンテナンスはきわめて簡単に行うことができる。
【００２５】
この時、カバー１１，１２が下端側を軸として前後に開くようにしているのは、本体１０の前後面を大きく開口させて集塵紙５１の交換作業の邪魔になることがないようにするためであるとともに、集塵紙５１に付着していた粉塵がこぼれた時、カバー１１，１２で受けることができるようにして、粉塵が床面に広がってしまうことがないようにしているためである。
【００２６】
集塵部５の押さえ部５３を、図１２（ａ）に示すように、上下動も可能としておくならば、集塵紙５１として用いているキッチンペーパータオルのサイズが異なっても対応することができる上に、常に風でめくれあがったりすることがない状態に保つことができる。図１２（ｂ）に示すように、鉛直軸回りに押さえ部５３が回動するようにしていても、やはりサイズの異なる集塵紙５１に対応することができる。
【００２７】
また、集塵電極５０の前後両面に夫々押さえ部５３を設けるのではなく、図１３（ａ）に示すように、集塵電極５０の片面では切り起こしで設けた爪５４に集塵紙５１の一端を引っ掛けるものとし、押さえ部５３は集塵電極５０の他面側にだけ設けるようにしてもよく、また図１３（ｂ）に示すように、ローラー状の押さえ部５３を用いて集塵紙５１を集塵電極５０に固定するようにしてもよい。
【００２８】
更には図１４及び図１５に示すように、カバー１１，１２を一体の筒状のものとするとともに本体１０に対して上方に取り外すことができるようにしておき、このカバー１１，１２の内部にばね片からなる押さえ部５３を設けておけば、カバー１１，１２の着脱と同時に集塵紙５１の固定及び固定解除を行うことができるものとなる。
【００３２】
なお、本発明においては、吸い込み口１０ｂが本体１０の下面ではなく、下端部側面にあっても良いものであり、吹き出し口１０ａにしても上面ではなく、上部側面にあってもよい。イオン風誘起手段を構成する部材も実施例のものに限定されるものではない。
【００３３】
【発明の効果】
以上のように本発明においては、イオン風誘起手段で送風を行うために、無音運転が可能なものであり、しかも本体下部に吸い込み口を、本体上部に吹き出し口を備えていることから、床面近くを漂うハウスダストを効率良く取り除いて清浄化することができるものであり、送風能力が低いとはいえ、２４時間運転しても騒音の点で問題がないことと併せて、１日における清浄能力としては、高い清浄化効率を有するものである。また、イオン風誘起手段で帯電させた粉塵は、電気的集塵手段の集塵電極の表面に交換自在に配した集塵紙で捕集するために、メンテナンスが容易である。
【００３５】
しかも上記電気的集塵手段は、集塵電極と、この集塵電極の表面に交換自在に配されて上記帯電した粉塵を捕集する集塵紙とを備え、上記本体は横方向の厚みが薄くて上下方向の長さが長い略長方体として形成されるとともにこれの表裏面に空気吸排部が設けられていることから、薄型であるにもかかわらず、除塵性能が高いものを得ることができる。特に空気吸排部の存在は、風量の増大を招いて室内の循環風を増加させるために、清浄効果が増すことになる。
【００３６】
また、本体を表裏面が開口しているとともに、該開口が下端縁を軸として回動自在なカバーで閉じられたものとすれば、また集塵電極がその上部に集塵紙を挿通する隙間を備え、集塵紙は上記隙間に通されて集塵電極の表裏両面に配されるものとすれば、集塵部のメンテナンス、つまりは集塵紙の交換を簡便に行うことができる上に、取り外す集塵紙からこぼれた粉塵はカバー上で集めることができ、別途台を用意したりしなくとも、床面に粉塵が広がってしまうことがない。
【００３７】
更に、集塵電極の下部に位置して集塵紙の下端を集塵電極に固定するための水平軸回りに回動自在で且つ集塵電極に吸着する永久磁石を有する一対の押さえ部を設けたならば、集塵紙の端部の固定を風によってめくりたりすることがない状態に確実に且つ簡便に行うことができる。
そして、上記押さえ部の上下位置を可変としたり、押さえ部が集塵電極の側部に位置して鉛直軸回りに回動自在で集塵紙の側端を集塵電極に固定するものにおいては、集塵紙のサイズの違いを吸収して常に固定を行えるものとなる。
【００３８】
集塵紙の一方の下端を引っ掛け固定するための爪と、集塵紙の他方の下端を集塵電極に固定するための水平軸回りに回動自在で且つ集塵電極に吸着する永久磁石を有する押さえ部とを備えたものでは、集塵紙の固定部材に要するコストが低くなる。
押さえ部としては、集塵電極の表裏両面に位置して集塵紙を集塵電極に固定する上下動自在な一対のローラーからなるものであってもよく、本体が集塵部を覆うとともに上方から着脱自在となっているカバーを備えたものにおいては、該カバー内に集塵紙を集塵電極に固定する押さえばね型の押さえ部を設けることも好ましい。集塵紙の固定をいずれの場合も簡便に且つ確実に行うことができる。
【図面の簡単な説明】
【図１】一実施例の概略断面図である。
【図２】(a)は同上の平面図、(b)は同上の正面図である。
【図３】(a)は同上の左側面図、(b)は同上の右側面図である。
【図４】(a)は同上の本体の底面図、(b)は同上の本体のカバーを外した状態の正面図である。
【図５】(a)は同上の本体の左側面図、(b)は同上の本体の右側面図である。
【図６】同上のプレフィルターを示すもので、(a)は平面図、(b)は正面図である。
【図７】同上の放電部を示すもので、(a)は平面図、(b)は側面図、(c)は破断正面図である。
【図８】同上の対極部を示すもので、(a)は平面図、(b)は右側面図、(c)は正面図、(d)は左側面図である。
【図９】同上のカバーを開いた状態の斜視図である。
【図１０】同上の集塵部の斜視図である。
【図１１】同上の集塵部の集塵紙の取り付け方法を示すもので、(a)(b)(c)は夫々概略断面図である。
【図１２】押さえ部の他例を示すもので、(a)(b)は夫々斜視図である。
【図１３】押さえ部の更に他例を示すもので、(a)(b)は夫々斜視図である。
【図１４】別の実施例の分解斜視図である。
【図１５】同上の概略断面図である。
【符号の説明】
３  放電部
４  対極部
５  集塵部
１０  本体
１０ａ  吹き出し口
１０ｂ  吸い込み口
４１  対極板
５０  集塵電極
５１  集塵紙
【図１】
0003577761.tif 000002
【図２】
0003577761.tif 000003
【図３】
0003577761.tif 000004
【図４】
0003577761.tif 000005
【図５】
0003577761.tif 000006
【図６】
0003577761.tif 000007
【図７】
0003577761.tif 000008
【図８】
0003577761.tif 000009
【図９】
0003577761.tif 000010
【図１０】
0003577761.tif 000011
【図１１】
0003577761.tif 000012
【図１２】
0003577761.tif 000013
【図１３】
0003577761.tif 000014
【図１４】
0003577761.tif 000015
【図１５】
0003577761.tif 000016